(57)【要約】【課題】  回転を阻害するような抵抗を発生させることなしに水や埃の侵入を防止できる構造の簡素化されたシール構造体を提案する。【解決手段】  基台（１）と、この基台（１）に回転可能に連結保持されるケーシング（２）と、前記基台（１）とケーシング（２）との連結部位に配置されその相互間からの水の侵入を防止するシール部材（３）とを備えたシール構造体において、前記シール部材（３）を、基台（１）の外径（Ｄ）よりも小さな径（ｄ）を有し、基台（１）の外周面にて嵌合保持される内端（３ａ）と、ケーシング（２）の内周面に当接させてケーシング（２）の回転に伴ってその端縁を該内周面にて摺動させる外端（３ｂ）とを有するドーナツ状の薄肉シートにて構成する。【選択図】図１
2006105675.tif 000002
【特許請求の範囲】
【請求項１】
基台と、この基台に回転可能に連結保持されるケーシングと、前記基台とケーシングとの連結部位に配置されその相互間からの水の侵入を防止するシール部材とを備え、
前記シール部材は、基台の外径よりも小さな径を有し、基台の外周面にて嵌合保持される内端と、ケーシングの内周面に当接させてケーシングの回転に伴ってその端縁を該内周面にて摺動させる外端とを有するドーナツ状の薄肉シートからなることを特徴とするシール構造体。
【請求項２】
前記薄肉シートは、基台の外周面への嵌合にて該薄肉シート全体を径方向に斜めに指向させる伸縮性素材かなる、請求項１記載のシール構造体。
【請求項３】
前記基台は、薄肉シートのシート面と接して該薄肉シートをガイドする傾斜溝部を有する請求項１又は２記載のシール構造体。
【発明の詳細な説明】
【技術分野】
【０００１】
本発明は、シール構造体に関するもので、基台とこの基台に回転可能に保持されるケーシングとの相互間からの水の侵入を確実に回避しようとするものであり、以下、建築、土木分野で多用されるレーザー墨出し器を例にとって説明する。
【背景技術】
【０００２】
建築や土木等の現場で行われる墨出し作業においては、近年、照射器より照射されたレーザービームを、距離を隔てて配置された受光器で受光するレーザー墨出し器が多用されるようになってきており、これにより、正確でしかも効率的な作業が可能になってきている。
【０００３】
上記の墨出し器のうち、レーザー照射器は、三脚を介して床面に固定、設置される基台と、この基台に回転可能に載置され、その内部にレーザー光を照射するための部品を組み込んだケーシングからなっている。
【０００４】
ところで、この種の機器は、固定状態にある基台の上でケーシングをスムーズに回転させるために、その相互間にある程度のクリアランスを設けることが不可欠になるが、このクリアランスを通してケーシング内に水や塵が侵入することが懸念され、その解決が望まれていた。
【０００５】
この点に関する先行技術としては、固定部材と、この固定部材の上部で回転する回転部材と、固定部材に回転可能に嵌合するとともに、外周上に凸部を有し押圧部材により固定部材に緊締される緊締環とを備えた測量機につき、回転部材と緊締環との間に、全周にわたって回転部材及び緊締環の両方に当接させるか又はいずれか一方に固定され他方当接するように、環状に形成された防水部材を配置した構造のものが提案されている（例えば特許文献１参照）。
【特許文献１】実公平７─２５６１９号公報
【０００６】
ところで、上記従来構造のものは、部品点数が多く、その構造も複雑なものとなっており分解、組み立てが煩雑であるうえ、固定部材と回転部材とをある程度の強さで接触させる構造を採らざるを得ないので回転時の抵抗が大きく、墨出し作業において必要とされる微調整機構が作用しなくなるという弊害があり、未だ改善の余地が残されていた。
【発明の開示】
【発明が解決しようとする課題】
【０００７】
本発明の課題は、構造が簡単で上述のような弊害を回避できる防水、防塵効果の高いシール構造体を提案するところにある。
【課題を解決するための手段】
【０００８】
本発明は、基台と、この基台に回転可能に連結保持されるケーシングと、前記基台とケーシングとの連結部位に配置されその相互間からの水の侵入を防止するシール部材とを備え、
前記シール部材は、基台の外形よりも小さな径を有し、基台の外周面にて嵌合する内端と、ケーシングの内周面に当接させてケーシングの回転に伴ってその端縁を該内周面にて摺動させる外端とを有するドーナツ状の薄肉シートからなることを特徴とするシール構造体である。
【０００９】
上記の構成になるシール構造体において、前記薄肉シートは、基台の外周面への嵌合にて該薄肉シート全体を径方向に斜め下向きに指向させる伸縮性素材かなるものが好ましい。
【００１０】
また、前記基台には、薄肉シートのシート面と接して該薄肉シートをガイドする傾斜溝部を設けることができる。
【発明の効果】
【００１１】
シール部材の内端を基台の外周面に嵌合保持させ、その外端をケーシングの内周面に当接させるとケーシングの回転に伴いその先端がケーシングの内周面にて摺動し、該シール部材が摺動している限りその相互間は液密状態に保たれる。
【００１２】
また、シール部材はその先端がケーシングに対して摺動する程度の接触に止まるので、該ケーシングの回転を阻害するような大きな抵抗を生じさせることはない。
【発明を実施するための最良の形態】
【００１３】
以下、図面を用いて本発明をより具体的に説明する。
図１は本発明にしたがうシール構造体を適用した墨出し用レーザー照射器を模式的に示したものである。
【００１４】
図における１は三脚等を介して床面に配置される基台である。この基台１の外周面にはシール部材を配置するための溝部１ａが設けられており、その内部には軸受けを構成するリング１ｂが配置されている。
【００１５】
また、２は基台１に回転可能に連結保持されるケーシングである。このケーシング２はその内部にレーザー光を照射するための機器が配置されているとともに、基台１のリング１ｂに嵌り込んでケーシング２を回転可能に保持するベース２ａが組み込まれている。
【００１６】
３は基台１とケーシング２との連結部位に配置されその相互間からの水等の侵入を防止するシール部材である。
【００１７】
シール部材３はその外観斜視図を図２に示すようにドーナツ状の薄肉シートからなっており、基台１の外径（溝部１ａの底径に対応する）Ｄよりも小さな内径ｄを有し該基台２の外周面にて嵌合保持される内端３ａと、ケーシング２の内周面に当接させてその回転に伴って端縁を該内周面にて摺動させる外端３ｂとを有している。
【００１８】
上記のような構成になるシール部材３を基台２に装着すると、ケーシング２を回転させたときシール部材３の外端３ｂはケーシング２の内周面にて液密状態を保ったまま摺動することになり、基台１とケーシング２との間に隙間があっても水や埃等が侵入することがない。
【００１９】
上記シール部材３は伸縮性を有する例えば、テフロン（登録商標）、ポリプロピレン、ポリエチレン、ポリオキシメチレン、塩化ビニル、エラストマー等の樹脂あるいはゴム等を素材として構成すると、基台１の溝部１ａに嵌合させたとき該シール部材３の内端３ａが押し広げられるため図１に示したようにシール部材３の全体が径方向に斜め下向きに指向させることができ（傘状に変形する）、これにより返り効果（逆止弁効果）をもたせることが可能となるのでシール性がより一層高められる。
【００２０】
上記の如くシール部材３を径方向に斜め下向きに指向させるようにして基台１に取り付ける場合、該シール部材３が基台１に安定して嵌合保持されるように、溝部１ａにあらかじめ傾斜を形成しておく。
【００２１】
図３、図４は本発明にしたがうシール構造体の他の実施の形態を示したものである。シール部材３は上掲図１に示したように必ずしも径方向に斜め下向きに指向させる必要はなく、基台１の外径Ｄとシール部材３の内径ｄを同じにして水平状態で取り付けることができる。
【００２２】
とくに、シール部材３に対して高い外圧が付加されることが懸念される場合には、図４に示すように、ケーシング２にシール部材３の表面に接触するような受け部２ａを設ける。
【００２３】
シール部材３を傘状に変形させて防水効果を得る場合、基台１の外径（溝部１ａの底径）Ｄはシール部材３の内径ｄよりも小さくし、ケーシング２の内径はシール部材３の外径と同じにするか、あるいはそれよりも大きくする。とくにシール部材３を柔軟性のある素材にて構成するとそれ自体容易に変形することができるので厳しい寸法公差が要求されない利点がある。
【００２４】
シール部材３は予め傘状に成形したものを用いることもでき、この点については限定されない。
【産業上の利用可能性】
【００２５】
回転部材（ケーシング）の回転を阻害することなしに水や埃の侵入を確実に防止できる構造の簡素化されたシール構造体が提供できる。
【図面の簡単な説明】
【００２６】
【図１】本発明にしたがうシール構造体の実施の形態を示した図である。
【図２】シール部材の外観斜視図である。
【図３】本発明にしたがうシール構造体の他の例を示した図である。
【図４】本発明にしたがうシール構造体の他の例を示した図である。
【符号の説明】
【００２７】
１  基台
１ａ  溝部
１ｂ  リング
２  ケーシング
２ａ  受け部
３  シール部材
３ａ  内端
３ｂ  外端
【図１】
2006105675.tif 000003
【図２】
2006105675.tif 000004
【図３】
2006105675.tif 000005
【図４】
2006105675.tif 000006